(57)【特許請求の範囲】
【請求項１】
対象空間（ＳＰ）に設置される空調室内機（３０、３０´、３０ａ）であって、
冷媒が流れる伝熱管（３１ａ）と、前記伝熱管が延びる方向に交差して延びる熱交換器端部（３１２）と、を有する熱交換器（３１）と、
前記熱交換器の下方に配置され、結露水を受けるドレンパン（３４）と、
前記熱交換器端部の長手方向に沿って延びるガイド面（３５２）、を含むガイド部材（３５）と、
前記熱交換器、前記ドレンパン及び前記ガイド部材を収容するケーシング（４０、４０ａ）と、
前記ドレンパンの近傍に配置され、冷媒漏洩を検出する冷媒漏洩センサ（５５）と、
を備え、
前記伝熱管は、前記熱交換器端部において湾曲又は屈曲して延び、
前記ガイド面は、前記熱交換器端部を覆い、前記熱交換器端部との間において、冷媒漏洩が生じた場合に漏洩冷媒（ＲＦ）を前記ドレンパンへと導く誘導流路（ＲＰ）を形成し、
前記熱交換器は、前記熱交換器端部として、熱交換器第１端部（３１３、３１４）と、前記熱交換器第１端部とは反対側の端部である熱交換器第２端部（３１３、３１４）と、を含み、
前記ガイド部材は、前記熱交換器第１端部の長手方向に沿って延びて前記熱交換器第１端部を覆い前記熱交換器第１端部との間において前記誘導流路を形成する前記ガイド面、を有する第１ガイド部材（３５ａ、３５ｂ）を含み、
前記冷媒漏洩センサは、前記熱交換器第１端部よりも、前記熱交換器第２端部に近い位置に配置される、
空調室内機（３０、３０´、３０ａ）。
【請求項２】
前記ガイド部材は、前記熱交換器第２端部の長手方向に沿って延びて前記熱交換器第２端部を覆い前記熱交換器第２端部との間において前記誘導流路を形成する前記ガイド面、を有する第２ガイド部材（３５ａ、３５ｂ）をさらに含む、
請求項１に記載の空調室内機（３０、３０´、３０ａ）。
【請求項３】
前記ガイド面は、前記熱交換器端部の前記長手方向の一端から他端までを覆う、
請求項１または２に記載の空調室内機（３０、３０´、３０ａ）。
【請求項４】
前記ガイド面は、前記ドレンパンの上面まで延びる、
請求項１から３のいずれか１項に記載の空調室内機（３０、３０´、３０ａ）。
【請求項５】
前記冷媒漏洩センサは、前記ドレンパンの高さ位置以下に配置され、冷媒漏洩が生じた場合に前記ドレンパンから溢れる漏洩冷媒（ＲＦ）を検出する、
請求項１から４のいずれか１項に記載の空調室内機（３０、３０´、３０ａ）。
【請求項６】
前記ドレンパンは、排水口又は排気口として機能する開口（３４１）を形成され、前記開口に、前記対象空間外まで延びるドレンホース（６０）を接続される、
請求項１から５のいずれか１項に記載の空調室内機（３０、３０´、３０ａ）。
【発明の詳細な説明】
【技術分野】
【０００１】
本発明は、空調室内機に関する。
【背景技術】
【０００２】
従来、冷媒回路を構成する空調室内機であって、冷媒漏洩センサを有し、冷媒漏洩が生じた場合には漏洩冷媒を拡散させるべく送風機を強制運転させる空調室内機が提案されている。例えば、特許文献１（特開２０１２−１３３４８）に開示される空調室内機では、対象空間の温度分布状況を検出する温度センサを有し、冷媒漏洩センサが冷媒漏洩を検出した場合には、送風機を駆動させるとともに、高温領域における漏洩冷媒の滞留等を抑制すべく高温領域以外の領域へ風向を調整するように構成されている。
【発明の概要】
【発明が解決しようとする課題】
【０００３】
ここで、空調室内機においては、熱交換器の端部に配置された配管継ぎ部や配管曲げ部が破損して冷媒漏洩が生じることが可能性として考えられる。
【０００４】
しかし、特許文献１では、係るケースにおいても送風機を駆動させるため、漏洩冷媒が配管からの漏洩直後に居住空間に吹き出されることとなり、送風機の風向及び冷媒漏洩量によっては、居住空間の一部において漏洩冷媒の濃度が高まり保安性が十分に確保されないことも想定される。
【０００５】
そこで、本発明の課題は、保安性に優れた空調室内機を提供することである。
【課題を解決するための手段】
【０００６】
本発明の第１観点に係る空調室内機は、対象空間に設置される空調室内機であって、熱交換器と、ドレンパンと、ガイド部材と、ケーシングと、を備える。熱交換器は、伝熱管と、熱交換器端部と、を有する。伝熱管は、内部において冷媒が流れる。熱交換器端部は、伝熱管が延びる方向に交差して延びる。ドレンパンは、熱交換器の下方に配置される。ドレンパンは、結露水を受ける。ガイド部材は、ガイド面を含む。ガイド面は、熱交換器端部の長手方向に沿って延びる。ケーシングは、熱交換器、ドレンパン及びガイド部材を収容する。伝熱管は、熱交換器端部において湾曲又は屈曲して延びる。ガイド面は、熱交換器端部を覆う。ガイド面は、熱交換器端部との間において、誘導流路を形成する。誘導流路は、冷媒漏洩が生じた場合に、漏洩冷媒をドレンパンへと導く流路である。
【０００７】
本発明の第１観点に係る空調室内機では、熱交換器は、伝熱管が湾曲又は屈曲して延びる熱交換器端部を有し、ガイド部材のガイド面が、熱交換器端部の長手方向に沿って延びて熱交換器端部を覆い、熱交換器端部との間において漏洩冷媒をドレンパンへと導く誘導流路を形成する。これにより、熱交換器の端部に配置された配管継ぎ部や配管曲げ部が破損して冷媒漏洩が生じた場合、ガイド部材のガイド面によって形成された誘導流路を介して漏洩冷媒がドレンパンへと誘導される。その結果、漏洩冷媒は下方に設置されるドレンパンへと向かい、ドレンパンに到達した漏洩冷媒は、ドレンパンの上方空間において貯留されるか、ケーシング内においてさらに下方空間へと落下して貯留される。すなわち、漏洩冷媒がケーシング内において貯留され、ケーシング外に流出することが抑制される。つまり、熱交換器の端部に配置された配管継ぎ部や配管曲げ部が破損して冷媒漏洩が生じた場合に、漏洩冷媒が吹出口及び吸込口を介してケーシング外に流出することが抑制され、居住空間において漏洩冷媒の濃度が大きくなることが抑制される。よって、保安性に優れる。
【０００８】
なお、ここでの「冷媒回路」において使用される冷媒は、特に限定されないが、例えば、Ｒ３２のような微燃性の冷媒、プロパンのような燃焼性を有する冷媒、又はアンモニアのような毒性を有する冷媒が想定される。
【０００９】
また、「熱交換器端部を覆う」については、必ずしも熱交換器端部の全てが覆われている必要はなく、熱交換器端部の一部（例えば、熱交換器端部の外側の５割以上）が覆われている状態をもって「熱交換器端部を覆う」と解釈する。
【００１０】
本発明の第２観点に係る空調室内機は、第１観点に係る空調室内機であって、冷媒漏洩センサをさらに備える。冷媒漏洩センサは、ドレンパンの近傍に配置される。冷媒漏洩センサは、冷媒漏洩を検出する。これにより、保安性がさらに向上するとともにコスト増大が抑制される。
【００１１】
すなわち、冷媒漏洩が生じた場合には、可及的速やかに漏洩冷媒を検出し、報知等の対処を行うことが望まれる。しかし、冷媒漏洩センサを設置した場合であっても、冷媒漏洩センサから離れた位置（冷媒漏洩センサからの距離が、漏洩冷媒が迅速に冷媒漏洩センサに到達しにくい程度に大きい位置）において冷媒漏洩が生じると、漏洩冷媒を遅滞なく検出することは困難である。この点、本発明によると、熱交換器の端部に配置された配管継ぎ部や配管曲げ部が破損して冷媒漏洩が生じた場合、漏洩冷媒は、ガイド部材によってドレンパンへと誘導され、ドレンパン近傍に配置される冷媒漏洩センサに遅滞なく到達する。つまり、熱交換器の端部に配置された配管継ぎ部や配管曲げ部が破損して冷媒漏洩が生じた場合に、冷媒漏洩を遅滞なく検出して対応することが可能となる。よって、保安性にさらに優れる。
【００１２】
また、冷媒漏洩を遅滞なく検出すべく複数の冷媒漏洩センサを設置するとすれば、コストが増大する。この点、本発明によると、複数の冷媒漏洩センサを設置することなく、冷媒漏洩を遅滞なく検出することが可能となる。よって、コスト増大が抑制される。
【００１３】
したがって、保安性がさらに向上するとともにコスト増大が抑制される。
【００１４】
なお、ここでの「ドレンパンの近傍」とは、ドレンパンの周囲においてドレンパンから溢れた（又は落下した）漏洩冷媒を冷媒漏洩センサが検出可能な位置（例えば、ドレンパンから１ｍ以内の周囲）を指す。すなわち、ドレンパンの下方空間、側方空間、又は上方空間は「ドレンパンの近傍」に相当しうる。
【００１５】
本発明の第３観点に係る空調室内機は、第２観点に係る空調室内機であって、熱交換器は、熱交換器端部として、熱交換器第１端部と、熱交換器第２端部と、を含む。熱交換器第２端部は、熱交換器第１端部とは反対側の端部である。ガイド部材は、第１ガイド部材を含む。第１ガイド部材は、熱交換器第１端部の長手方向に沿って延びるガイド面を有する。第１ガイド部材のガイド面は、熱交換器第１端部を覆う。第１ガイド部材のガイド面は、熱交換器第１端部との間において誘導流路を形成する。冷媒漏洩センサは、熱交換器第１端部よりも、熱交換器第２端部に近い位置に配置される。これにより、熱交換器第１端部と第１ガイド部材との間に誘導流路が形成される。その結果、冷媒漏洩センサから離れた位置にある熱交換器第１端部において冷媒漏洩が生じた場合であっても、漏洩冷媒は、第１ガイド部材によってドレンパンへと誘導され、ドレンパン近傍であって熱交換器第２端部に近い位置に配置される冷媒漏洩センサに遅滞なく到達する。よって、冷媒漏洩センサによって漏洩冷媒が遅滞なく検出される。
【００１６】
本発明の第４観点に係る空調室内機は、第３観点に係る空調室内機であって、ガイド部材は、第２ガイド部材をさらに含む。第２ガイド部材は、熱交換器第２端部の長手方向に沿って延びるガイド面を有する。第２ガイド部材のガイド面は、熱交換器第２端部を覆う。第２ガイド部材のガイド面は、熱交換器第２端部との間において誘導流路を形成する。これにより、熱交換器第２端部と第２ガイド部材との間に誘導流路が形成される。その結果、熱交換器の両側端部のいずれにおいて冷媒漏洩が生じた場合であっても、漏洩冷媒は下方に設置されるドレンパンへと向かい、ケーシング内において貯留される。すなわち、熱交換器の両側端部のいずれにおいて冷媒漏洩が生じた場合にも、漏洩冷媒が吹出口及び吸込口を介してケーシング外に流出することが抑制され、居住空間において漏洩冷媒の濃度が大きくなることが抑制される。よって、保安性にさらに優れる。また、熱交換器の両側端部のいずれにおいて冷媒漏洩が生じた場合であっても、冷媒漏洩センサによって漏洩冷媒が遅滞なく検出される。
【００１７】
本発明の第５観点に係る空調室内機は、第１観点から第４観点のいずれかに係る空調室内機であって、ガイド面は、熱交換器端部の長手方向の一端から他端までを覆う。これにより、熱交換器端部の長手方向の寸法に基づいて誘導流路が形成される。その結果、熱交換器端部において冷媒漏洩が生じた場合に、漏洩冷媒がドレンパンへと確実に導かれる。
【００１８】
本発明の第６観点に係る空調室内機は、第１観点から第５観点のいずれかに係る空調室内機であって、ガイド面は、ドレンパンの上面まで延びる。これにより、誘導流路がドレンパンまで途切れることなく形成される。その結果、熱交換器端部において冷媒漏洩が生じた場合に、漏洩冷媒がドレンパンへと確実に導かれる。
【００１９】
本発明の第７観点に係る空調室内機は、第２観点から第６観点のいずれかに係る空調室内機であって、冷媒漏洩センサは、ドレンパンの高さ位置以下に配置される。冷媒漏洩センサは、冷媒漏洩が生じた場合に、ドレンパンから溢れる漏洩冷媒を検出する。これにより、熱交換器端部において冷媒漏洩が生じた場合において、ドレンパンに導かれた漏洩冷媒が、冷媒漏洩センサにさらに到達しやすくなり、冷媒漏洩センサによって高精度に遅滞なく検出される。
【００２０】
本発明の第８観点に係る空調室内機は、第１観点から第７観点のいずれかに係る空調室内機であって、ドレンパンは、排水口又は排気口として機能する開口、を形成される。ドレンパンは、開口にドレンホースを接続される。ドレンホースは、対象空間外まで延びる。これにより、ケーシング内に貯留された漏洩冷媒が、ドレンホースを介して対象空間外へと流出する。その結果、ケーシング内に貯留された漏洩冷媒が居住空間に流出して濃度が高まることがさらに抑制される。よって、保安性にさらに優れる。
【発明の効果】
【００２１】
本発明の第１観点に係る空調室内機では、熱交換器の端部に配置された配管継ぎ部や配管曲げ部が破損して冷媒漏洩が生じた場合、ガイド部材のガイド面によって形成された誘導流路を介して漏洩冷媒がドレンパンへと誘導される。その結果、漏洩冷媒は下方に設置されるドレンパンへと向かい、ドレンパンに到達した漏洩冷媒は、ドレンパンの上方空間において貯留されるか、ケーシング内においてさらに下方空間へと落下して貯留される。すなわち、漏洩冷媒がケーシング内において貯留され、ケーシング外に流出することが抑制される。つまり、熱交換器の端部に配置された配管継ぎ部や配管曲げ部が破損して冷媒漏洩が生じた場合に、漏洩冷媒が吹出口及び吸込口を介してケーシング外に流出することが抑制され、居住空間において漏洩冷媒の濃度が大きくなることが抑制される。よって、保安性に優れる。
【００２２】
本発明の第２観点に係る空調室内機では、保安性がさらに向上するとともにコスト増大が抑制される。
【００２３】
本発明の第３観点に係る空調室内機では、冷媒漏洩センサから離れた位置にある熱交換器第１端部において、冷媒漏洩が生じた場合であっても、冷媒漏洩センサによって漏洩冷媒が遅滞なく検出される。
【００２４】
本発明の第４観点に係る空調室内機では、熱交換器の両側端部のいずれにおいて冷媒漏洩が生じた場合にも、漏洩冷媒が吹出口及び吸込口を介してケーシング外に流出することが抑制され、居住空間において漏洩冷媒の濃度が大きくなることが抑制される。よって、保安性にさらに優れる。また、熱交換器の両側端部のいずれにおいて冷媒漏洩が生じた場合であっても、冷媒漏洩センサによって漏洩冷媒が遅滞なく検出される。
【００２５】
本発明の第５観点に係る空調室内機では、熱交換器端部において冷媒漏洩が生じた場合に、漏洩冷媒がドレンパンへと確実に導かれる。
【００２６】
本発明の第６観点に係る空調室内機では、熱交換器端部において冷媒漏洩が生じた場合に、漏洩冷媒がドレンパンへと確実に導かれる。
【００２７】
本発明の第７観点に係る空調室内機では、熱交換器端部において冷媒漏洩が生じた場合において、ドレンパンに導かれた漏洩冷媒が、冷媒漏洩センサにさらに到達しやすくなり、冷媒漏洩センサによって高精度に遅滞なく検出される。
【００２８】
本発明の第８観点に係る空調室内機では、ケーシング内に貯留された漏洩冷媒が居住空間に流出して濃度が高まることがさらに抑制される。よって、保安性にさらに優れる。
【図面の簡単な説明】
【００２９】
【図１】第１実施形態に係る室内ユニットを有する空気調和機の概略構成図。
【図２】室内熱交換器の正面外観図。
【図３】第１実施形態に係る室内ユニットの外観斜視図。
【図４】対象空間における室内ユニットの配置態様を示した模式図。
【図５】第１実施形態に係る室内ユニットの内部構成を概略的に示した模式図。
【図６】正面パネルを外した状態の室内ユニットの斜視図。
【図７】室内熱交換器、カバー部材及びドレンパンの位置関係と、漏洩冷媒誘導流路と、を概略的に示した模式図。
【図８】図７のVIII-VIII線断面図。
【図９】カバー部材の外観斜視図。
【図１０】変形例１Ａに係る室内ユニットの対象空間における配置態様を示した模式図。
【図１１】変形例１Ｌに係る室内熱交換器、カバー部材及びドレンパンの位置関係と、漏洩冷媒誘導流路と、を概略的に示した模式図。
【図１２】第２実施形態に係る室内ユニットの外観斜視図。
【図１３】第２実施形態に係る室内ユニットの内部構成を概略的に示した模式図。
【発明を実施するための形態】
【００３０】
以下、本発明の実施形態について説明する。なお、以下の各実施形態は、本発明の具体例であって、本発明の技術的範囲を限定するものではなく、本発明の趣旨を逸脱しない範囲で適宜変更可能である。また、以下の実施形態において、上、下、左、右、正面（前）又は背面（後）といった方向は、図２から図１３に示す方向を意味する。
【００３１】
〈第１実施形態〉
以下、本発明の第１実施形態に係る室内ユニット３０について説明する。
【００３２】
（１）空気調和機１００
室内ユニット３０は、空気調和機１００に適用されている。図１は、室内ユニット３０を有する空気調和機１００の概略構成図である。
【００３３】
空気調和機１００は、家屋等の屋内に含まれる対象空間ＳＰにおいて冷房や暖房を行う装置である。空気調和機１００は、冷媒回路ＲＣを含み、冷媒回路ＲＣにおいて冷媒を循環させて蒸気圧縮方式の冷凍サイクルを行うことにより、対象空間ＳＰ（居住空間）の冷房又は暖房（空気調和）を実現する。空気調和機１００は、主として、熱源ユニットとしての室外ユニット１０と、利用ユニットとしての室内ユニット３０と、入力装置としてのリモコン５０と、冷媒漏洩センサ５５と、冷媒漏洩報知部５８と、ドレンホース６０と、を備えている。
【００３４】
空気調和機１００では、室外ユニット１０と、室内ユニット３０と、がガス連絡配管ＧＰ及び液連絡配管ＬＰによって接続されることで冷媒回路ＲＣが構成されている。冷媒回路ＲＣには、冷媒として、例えば、Ｒ３２のような微燃性を有する冷媒、又はプロパンのような燃焼性を有する冷媒、のような空気よりも比重が大きい冷媒が封入されている。
【００３５】
（１−１）室外ユニット１０
室外ユニット１０は、室外（対象空間ＳＰ外）に設置される。室外ユニット１０は、主として、複数の冷媒配管（第１配管Ｐ１〜第６配管Ｐ６）と、圧縮機１１と、四路切換弁１２と、室外熱交換器１３と、膨張弁１４と、室外ファン１５と、室外ユニット制御部１６と、を有している。
【００３６】
第１配管Ｐ１は、ガス連絡配管ＧＰと四路切換弁１２とを接続する冷媒配管である。第２配管Ｐ２は、四路切換弁１２と圧縮機１１の吸入ポート（図示省略）とを接続する吸入配管である。第３配管Ｐ３は、圧縮機１１の吐出ポート（図示省略）と四路切換弁１２とを接続する吐出配管である。第４配管Ｐ４は、四路切換弁１２と室外熱交換器１３のガス側とを接続する冷媒配管である。第５配管Ｐ５は、室外熱交換器１３の液側と膨張弁１４とを接続する冷媒配管である。第６配管Ｐ６は、膨張弁１４と液連絡配管ＬＰとを接続する冷媒配管である。
【００３７】
圧縮機１１は、低圧のガス冷媒を吸入し、圧縮して吐出する機構である。圧縮機１１は、圧縮機モータ１１ａを内蔵された密閉式の構造を有している。圧縮機１１では、圧縮機ケーシング（図示省略）内に収容されたロータリ式やスクロール式等の圧縮要素（図示省略）が、圧縮機モータ１１ａを駆動源として駆動される。圧縮機モータ１１ａは、運転中、インバータ制御され、状況に応じて回転数を調整される。圧縮機１１は、駆動時に、吸入ポートから冷媒を吸入し、圧縮後、吐出ポートから吐出する。
【００３８】
四路切換弁１２は、冷媒回路ＲＣにおいて冷媒の流れる方向を切り換えるための切換弁である。四路切換弁１２は、第１配管Ｐ１、第２配管Ｐ２、第３配管Ｐ３及び第４配管Ｐ４と個別に接続されている。四路切換弁１２は、冷房運転時には、第１配管Ｐ１と第２配管Ｐ２とが接続されるとともに、第３配管Ｐ３と第４配管Ｐ４とが接続されるように、流路を切り換える（図１の四路切換弁１２の実線を参照）。また、四路切換弁１２は、暖房運転時には、第１配管Ｐ１と第３配管Ｐ３とが接続されるとともに、第２配管Ｐ２と第４配管Ｐ４とが接続されるように、流路を切り換える（図１の四路切換弁１２の破線を参照）。
【００３９】
室外熱交換器１３は、冷房運転時には冷媒の凝縮器又は放熱器として機能し、暖房運転時には冷媒の蒸発器として機能する熱交換器である。室外熱交換器１３は、冷媒が流れる室外熱交換器伝熱管（図示省略）を含む。室外熱交換器１３は、運転時において、室外熱交換器伝熱管内の冷媒と、室外ファン１５によって生成される空気流と、が熱交換可能なように配置されている。
【００４０】
膨張弁１４は、開度調整が可能な電動弁である。膨張弁１４は、運転時には状況に応じて開度を適宜調整され、開度に応じて冷媒を減圧する。
【００４１】
室外ファン１５は、例えばプロペラファンである。室外ファン１５は、室外ファンモータ１５ａの出力軸に接続されており、室外ファンモータ１５ａに連動して駆動する。室外ファン１５は、駆動すると、外部から室外ユニット１０内に流入し室外熱交換器１３を通過してから室外ユニット１０外へ流出する空気流を生成する。
【００４２】
室外ユニット制御部１６は、ＣＰＵやメモリ等で構成されるマイクロコンピュータである。室外ユニット制御部１６は、室外ユニット１０における各アクチュエータの動作を制御する。室外ユニット制御部１６は、室内ユニット３０の室内ユニット制御部３３（後述）と、通信線を介して接続されており、相互に信号の送受信を行う。
【００４３】
（１−２）室内ユニット３０（空調室内機）
本実施形態において、室内ユニット３０は、対象空間ＳＰの床面Ｆ１に設置される床置き型の空調室内機である。室内ユニット３０は、室外ユニット１０とともに冷媒回路ＲＣを構成している。室内ユニット３０は、主として、室内熱交換器３１と、室内ファン３２と、室内ユニット制御部３３と、ドレンパン３４と、カバー部材３５と、を有している。
【００４４】
室内熱交換器３１（特許請求の範囲記載の「熱交換器」に相当）は、冷房運転時には冷媒の蒸発器として機能し、暖房運転時には冷媒の凝縮器又は放熱器として機能する熱交換器である。本実施形態において、室内熱交換器３１は、いわゆるクロス・フィン・チューブ熱交換器である。室内熱交換器３１は、ガス側がガス連絡配管ＧＰまで延びる冷媒配管に接続されるとともに、液側が液連絡配管ＬＰまで延びる冷媒配管に接続されている。室内熱交換器３１は、運転時において、伝熱管３１ａ（後述）内の冷媒と、室内ファン３２によって生成される空気流ＡＦ（後述）と、が熱交換可能なように配置されている。室内熱交換器３１の詳細については、後述の「（３）室内熱交換器３１の詳細」において説明する。
【００４５】
室内ファン３２は、例えばターボファン、シロッコファン、クロスフローファン又はプロペラファン等の送風機である。室内ファン３２は、室内ファンモータ３２ａの出力軸に接続されている。室内ファン３２は、室内ファンモータ３２ａに連動して駆動する。室内ファンモータ３２ａは、室内ユニット制御部３３によってインバータ制御される。室内ファン３２は、駆動すると、室内ユニット３０内に吸い込まれて室内熱交換器３１を通過した後に居住空間へと吹き出される空気流ＡＦを生成する。
【００４６】
室内ユニット制御部３３は、ＣＰＵやメモリ等で構成されるマイクロコンピュータである。室内ユニット制御部３３は、室内ユニット３０におけるアクチュエータの動作を制御する。室内ユニット制御部３３は、室外ユニット制御部１６と、信号の送受信を行う。また、室内ユニット制御部３３は、リモコン５０と無線通信を行う。また、室内ユニット制御部３３は、冷媒漏洩センサ５５及び冷媒漏洩報知部５８と、電気的に接続されており、信号の送受信を行う。室内ユニット制御部３３は、後述する冷媒漏洩信号を受信すると、室内ファン３２の駆動を停止させ、フラップ４５（後述）によって吹出口４１を閉じさせるとともに、冷媒漏洩報知部５８に所定の信号を送信して報知に係る情報の出力を行わせる。
【００４７】
ドレンパン３４は、室内熱交換器３１の下方に配置され、室内熱交換器３１において生じた結露水を受けて貯留させる。ドレンパン３４は、室内熱交換器３１のサイズや圧縮機１１の能力等に応じて、適当な容量を有するものが適宜選択される。また、ドレンパン３４は、ケーシング４０内において冷媒漏洩が生じた場合に、漏洩した冷媒（漏洩冷媒ＲＦ）を貯留させる機能も有している。ドレンパン３４の係る機能については後述する。ドレンパン３４には、ドレンパン３４上に溜まった結露水を排出する排水口、又は漏洩冷媒ＲＦを排出する排気口として機能する排出口３４１（図５参照）を形成されている。
【００４８】
カバー部材３５（特許請求の範囲記載の「ガイド部材」に相当）は、室内熱交換器３１の一部を覆う板状の部材である。具体的には、カバー部材３５は、室内熱交換器３１の端部（後述する室内熱交換器端部３１２）を覆うように配置されている。カバー部材３５は、室内熱交換器３１（後述する伝熱管３１ａ）において冷媒漏洩が生じた場合に、漏洩冷媒をドレンパン３４へと導く役割を担っている。すなわち、カバー部材３５は、冷媒漏洩が生じた際に漏洩冷媒ＲＦをドレンパン３４へと移動させる流路（後述する漏洩冷媒誘導流路ＲＰ）を形成する機能を有している。カバー部材３５の詳細については後述する。
【００４９】
（１−３）リモコン５０
リモコン５０は、ＣＰＵやメモリ等で構成されるマイクロコンピュータを含むリモコン制御部（図示省略）と、空気調和機１００へのコマンドを入力するための入力キー（図示省略）と、を有するユーザインターフェースである。
【００５０】
リモコン５０は、室内ユニット３０の室内ユニット制御部３３と、赤外線や電波を用いて無線通信を行う。リモコン５０は、ユーザや管理者によって入力キーへコマンドを入力されると、入力されたコマンドに応じて、所定の信号を室内ユニット制御部３３に対し送信する。
【００５１】
（１−４）冷媒漏洩センサ５５
冷媒漏洩センサ５５は、対象空間ＳＰに配置されて、対象空間ＳＰにおける冷媒漏洩を検知するためのセンサである。本実施形態では、冷媒漏洩センサ５５は、公知の汎用品が用いられる。本実施形態において、冷媒漏洩センサ５５は、室内ユニット３０（より詳細には後述するケーシング４０）内に配置されている（図５を参照）。
【００５２】
冷媒漏洩センサ５５は、室内ユニット３０の室内ユニット制御部３３と電気的に接続されている。冷媒漏洩センサ５５は、漏洩した冷媒（漏洩冷媒ＲＦ）を検出すると、冷媒漏洩が生じている旨を示す電気信号（以下、「冷媒漏洩信号」と記載）を、室内ユニット制御部３３に出力する。
【００５３】
（１−５）冷媒漏洩報知部５８
冷媒漏洩報知部５８は、対象空間ＳＰにおいて冷媒漏洩が生じた際に、ユーザに対して報知するための出力部である。本実施形態において、冷媒漏洩報知部５８は、所定電圧を供給されることで点灯する発光部であり、例えばＬＥＤライト等である。冷媒漏洩報知部５８は、室内ユニット３０において（より詳細には後述するケーシング４０の正面側の上部において）配置されている（図３参照）。
【００５４】
（１−６）ドレンホース６０
ドレンホース６０は、合成樹脂等で構成された管である。ドレンホース６０は、ドレンパン３４から排出される結露水や漏洩冷媒ＲＦを室内ユニット３０外（対象空間ＳＰ外）へ排出させる役割を担っている。ドレンホース６０は、一端がドレンパン３４の排出口３４１に接続されてドレンパン３４上の空間と連通しており、他端が屋外（すなわち対象空間ＳＰ外）まで延びて屋外空間と連通している。すなわち、ドレンホース６０は、ドレンパン３４上に貯留される結露水や漏洩冷媒ＲＦを屋外へ移動させるための排出流路、を構成している。
【００５５】
（２）空気調和機１００の各運転
空気調和機１００においては、リモコン５０に運転開始コマンドが入力されると、四路切換弁１２が運転モードに応じて所定の状態に切り換えられ、圧縮機１１、室外ファン１５及び室内ファン３２が起動し、膨張弁１４が適切な開度で開けられる。
【００５６】
（２−１）冷房運転
冷房運転時には、四路切換弁１２が冷房サイクル状態（図１の四路切換弁１２の実線で示される状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、及び第４配管Ｐ４を通過して室外熱交換器１３に流入する。室外熱交換器１３に流入した冷媒は、室外ファン１５が生成する空気流と熱交換して凝縮する。室外熱交換器１３から流出した冷媒は、第５配管Ｐ５を通過して膨張弁１４に流入する。膨張弁１４に流入した冷媒は、膨張弁１４の開度に応じて減圧される。膨張弁１４から流出した冷媒は、第６配管Ｐ６及び液連絡配管ＬＰを通過して室内ユニット３０に流入する。
【００５７】
室内ユニット３０に流入した冷媒は、室内熱交換器３１に流入し、室内ファン３２によって生成される空気流ＡＦと熱交換して蒸発する。室内熱交換器３１から流出した冷媒は、ガス連絡配管ＧＰを通過して室外ユニット１０に流入する。
【００５８】
室外ユニット１０に流入した冷媒は、第１配管Ｐ１、四路切換弁１２、及び第２配管Ｐ２を通過して、再び圧縮機１１に吸入されて圧縮される。
【００５９】
（２−２）暖房運転
暖房運転時には、四路切換弁１２が暖房サイクル状態（図１の四路切換弁１２の破線で示された状態）に切り換えられる。係る状態で各アクチュエータが起動すると、冷媒が、第２配管Ｐ２を介して圧縮機１１に吸入され、圧縮される。圧縮機１１から吐出された冷媒は、第３配管Ｐ３、四路切換弁１２、第１配管Ｐ１、及びガス連絡配管ＧＰを通過して室内ユニット３０に流入する。
【００６０】
室内ユニット３０に流入した冷媒は、室内熱交換器３１に流入し、室内ファン３２が生成する空気流ＡＦと熱交換して凝縮する。室内熱交換器３１から流出した冷媒は、液連絡配管ＬＰを通過して室外ユニット１０に流入する。
【００６１】
室外ユニット１０に流入した冷媒は、第６配管Ｐ６を通過して膨張弁１４に流入する。膨張弁１４に流入した冷媒は、膨張弁１４の開度に応じて減圧される。膨張弁１４から流出した冷媒は、室外熱交換器１３に流入する。室外熱交換器１３に流入した冷媒は、室外ファン１５によって生成される空気流と熱交換して蒸発する。室外熱交換器１３から流出した冷媒は、第４配管Ｐ４、四路切換弁１２、及び第２配管Ｐ２を通過して、再び圧縮機１１に吸入されて圧縮される。
【００６２】
（３）室内熱交換器３１の詳細
図２は、室内熱交換器３１の正面外観図である。室内熱交換器３１は、熱交換部３１１と、室内熱交換器端部３１２（具体的には熱交換器右端部３１３及び熱交換器左端部３１４）と、を有している。
【００６３】
熱交換部３１１には、空気流ＡＦと冷媒とが熱交換を行う領域であり、室内熱交換器３１の大部分を占めている。熱交換部３１１は、冷媒の流路を形成する伝熱管３１ａと、複数の伝熱フィン３１ｂと、を含んでいる。熱交換部３１１において、伝熱管３１ａは、水平方向（左右方向）に沿って延びており、鉛直方向に列を成している。
【００６４】
伝熱フィン３１ｂは、熱交換面積を増大させる役割を担っている。伝熱フィン３１ｂは、板状を呈しており、上下方向（すなわち、伝熱管３１ａが延びる方向とは交差する方向）に沿って延びている。伝熱フィン３１ｂは、伝熱管３１ａによって貫通されている。
【００６５】
熱交換器右端部３１３（特許請求の範囲記載の「熱交換器第１端部」又は「熱交換器第２端部」に相当）は室内熱交換器３１の右側端部を占める領域であり、熱交換器左端部３１４（特許請求の範囲記載の「熱交換器第１端部」又は「熱交換器第２端部」に相当）は室内熱交換器３１の左側端部を占める領域である。熱交換器右端部３１３と熱交換器左端部３１４とは、互いに反対側に位置する。
【００６６】
熱交換器右端部３１３及び熱交換器左端部３１４は、伝熱管３１ａを固定する管板３１ｃをそれぞれ含んでいる。管板３１ｃは、伝熱フィン３１ｂの長手方向（すなわち上下方向）に沿って延びている。熱交換器右端部３１３及び熱交換器左端部３１４においては、伝熱管３１ａの配管継ぎ部や配管曲げ部（以下、これらを「折返部Ｒ１」と称する）が配置されており、伝熱管３１ａが湾曲又は屈曲して延びている。
【００６７】
（４）室内ユニット３０の詳細
図３は、室内ユニット３０の外観斜視図である。図４は、対象空間ＳＰにおける室内ユニット３０の配置態様を示した模式図である。図５は、室内ユニット３０の内部構成を概略的に示した模式図である。図６は、正面パネル４０１を外した状態の室内ユニット３０の斜視図である。
【００６８】
室内ユニット３０は、外郭を構成するケーシング４０を有している。室内ユニット３０は、対象空間ＳＰの床面Ｆ１上に配置されている。より詳細には、室内ユニット３０は、ケーシング４０の底面部分が床面Ｆ１に隣接するとともにケーシング４０の背面部分が側壁Ｗ１に隣接し、正面側が対象空間ＳＰ内の居住空間側に面する態様で配置されている。
【００６９】
（４−１）ケーシング４０
ケーシング４０は、略直方体状を呈している。ケーシング４０は、正面パネル４０１と、本体部４０２と、底板４０３と、を有している。
【００７０】
正面パネル４０１は、ケーシング４０の正面部分、側面部分の一部、を構成している。本体部４０２は、ケーシング４０の背面部分、側面部分の一部、及び天面部分を構成している。底板４０３は、ケーシング４０の底面部分を構成している。
【００７１】
ケーシング４０には、室内ファン３２が生成する空気流ＡＦの吹出口として機能する開口（以下、「吹出口４１」と称する）と、吸込口として機能する複数の開口（以下、「吸込口４２」と称する）と、が形成されている。具体的に、吸込口４２には、正面吸込口４２ａと、側面吸込口４２ｂと、が含まれている。
【００７２】
吹出口４１は、正面パネル４０１において、ケーシング４０の中央よりも高い位置に形成された大きな開口である。吹出口４１は、ケーシング４０の幅方向（左右方向）に長い略長方形状を呈している。吹出口４１は、フラップ４５（後述）によって開閉を切換えられる。
【００７３】
正面吸込口４２ａは、ケーシング４０の幅方向に長い長方形状を呈している。正面吸込口４２ａは、正面パネル４０１に複数形成されている。正面吸込口４２ａは、ケーシング４０の中央よりも上方であって吹出口４１よりも下方の高さ位置において、上下方向及び左右方向に列を成すように形成されている。
【００７４】
側面吸込口４２ｂは、上下方向に長い長方形状を呈している。側面吸込口４２ｂは、正面パネル４０１の側面部分の上部から下部にかけて複数形成されている。側面吸込口４２ｂは、側面吸込口４２ｂは、吹出口４１よりも下方の高さ位置において、上下方向及び前後方向に列を成すように形成されている。
【００７５】
図５に示すように、ケーシング４０内には、室内熱交換器３１、室内ファン３２、ドレンパン３４、ドレンホース６０の一部、冷媒漏洩センサ５５、及び冷媒漏洩報知部５８等の機器が収容されている。
【００７６】
具体的に、室内熱交換器３１は、その正面部分がケーシング４０の正面パネル４０１に面するように、正面パネル４０１に近接して配置されている。室内ファン３２は、室内熱交換器３１の後方において、ケーシング４０の本体部４０２に近接して配置されている。      
【００７７】
ドレンパン３４は、室内熱交換器３１の下方に配置され、室内熱交換器３１において生じた結露水を受ける。ドレンホース６０は、ドレンパン３４の排出口３４１に接続され、ケーシング４０の本体部４０２を貫通して屋外（対象空間ＳＰ外）まで延びている。
【００７８】
冷媒漏洩センサ５５は、ドレンパン３４の下方近傍において、室内ユニット３０の底板４０３に近接して配置されている。より詳細には、冷媒漏洩センサ５５は、ドレンパン３４の高さ位置以下の空間において、熱交換器右端部３１３よりも熱交換器左端部３１４に近い位置に配置されている。すなわち、熱交換器右端部３１３は、熱交換器左端部３１４よりも冷媒漏洩センサ５５からの最短距離が大きい。
【００７９】
なお、「ドレンパン３４の下方近傍」とは、ドレンパン３４の下方においてドレンパン３４から溢れた（又は落下した）漏洩冷媒ＲＦを冷媒漏洩センサ５５が検出可能な位置（例えば、ドレンパン３４から１ｍ以内の周囲）を指す。本実施形態において、冷媒漏洩センサ５５は、ドレンパン３４の底面から下方１０ｃｍの高さ位置に配置されている。
【００８０】
冷媒漏洩報知部５８は、室内熱交換器３１の上方に配置されており、正面パネル４０１の上部（より詳細には吹出口４１の左側）に形成された開口を介して居住空間側に露出している。
【００８１】
（４−２）フラップ４５
室内ユニット３０は、フラップ４５を有している。フラップ４５は、吹出口４１の開閉を切り換えるとともに、吹出口４１における空気流ＡＦの吹出方向を調整する役割を担っている。フラップ４５は、正面パネル４０１において、吹出口４１を覆うように吹出口４１の周囲に配置されている。観点を変えると、フラップ４５は、ケーシング４０の一部を構成しているともいえる。
【００８２】
フラップ４５は、図示しない回転軸に機械的に接続されている。フラップ４５は、回転軸の回転に伴い、所定の角度範囲で上下方向に回動する（図５の破線矢印を参照）。フラップ４５の動作は、室内ユニット制御部３３によって制御される。
【００８３】
フラップ４５は、状況に応じて上下方向に回動される。具体的に、フラップ４５は、空気調和機１００の停止時、及び冷媒漏洩信号を受信した時（冷媒漏洩時）には、その正面側端部が最も下向きとなる角度に設定され、吹出口４１を閉じる。フラップ４５は、空気調和機１００の運転時には、上向きに回動されて吹出口４１を開放するとともに、空気流ＡＦの吹出方向に応じた姿勢となるように角度を適宜制御される。
【００８４】
（４−３）空気流路ＦＰ
室内ユニット３０（ケーシング４０）内においては、図５に示すように、複数の空気流路ＦＰ（ＦＰ１、ＦＰ２）が形成されている。空気流路ＦＰは、室内ファン３２によって生成される空気流ＡＦが通過する流路である。
【００８５】
具体的に空気流路ＦＰ１は、各吸込口４２から室内熱交換器３１を通過して室内ファン３２まで延びる流路である。空気流路ＦＰ２は、室内ファン３２から吹出口４１まで延びる流路である。
【００８６】
（４−４）カバー部材３５
図７は、室内熱交換器３１、カバー部材３５及びドレンパン３４の位置関係と、漏洩冷媒誘導流路ＲＰと、を概略的に示した模式図である。図８は、図７のVIII-VIII線断面図である。図９は、カバー部材３５の外観斜視図である。
【００８７】
室内ユニット３０は、カバー部材３５として、第１カバー部材３５ａ（特許請求の範囲記載の「第１ガイド部材」又は「第２ガイド部材」に相当）と、第２カバー部材３５ｂ（特許請求の範囲記載の「第１ガイド部材」又は「第２ガイド部材」に相当）と、を有している。カバー部材３５は、断面が略半円状又は略Ｕ字状の板状部材である。カバー部材３５は、鉛直（上下）方向（すなわち、室内熱交換器３１の伝熱フィン３１ｂの長手方向）に沿って延びている。カバー部材３５は、上下方向（室内熱交換器端部３１２及び伝熱フィン３１ｂの長手方向）に沿って延びる、外面３５１及び内面３５２（特許請求の範囲記載の「ガイド面」に相当）を含んでいる。
【００８８】
カバー部材３５は、室内熱交換器端部３１２（より詳細には管板３１ｃ）にネジや接着剤によって固定されている。具体的に、第１カバー部材３５ａは、熱交換器右端部３１３に固定されている。第２カバー部材３５ｂは、熱交換器左端部３１４に固定されている。
【００８９】
カバー部材３５は、長手方向（上下方向）の長さが室内熱交換器端部３１２の長手方向よりも長く、カバー部材３５の内面３５２は、ドレンパン３４の上面まで延びている。カバー部材３５は、その内面３５２によって、室内熱交換器端部３１２の上端から下端までを覆っている。換言すると、カバー部材３５の内面３５２は、室内熱交換器端部３１２に含まれる伝熱管３１ａ（より詳細には伝熱管３１ａの折返部Ｒ１）を覆っている。
【００９０】
カバー部材３５は、係る態様で配置されることにより、図７に示すように、その内面３５２によって、室内熱交換器端部３１２との間において漏洩冷媒ＲＦをドレンパン３４へと導く漏洩冷媒誘導流路ＲＰ（特許請求の範囲記載の「誘導流路」に相当）を形成している。すなわち、内面３５２は、冷媒漏洩が生じた場合において、漏洩冷媒ＲＦをドレンパン３４へと導くガイド面として機能する。
【００９１】
具体的に、第１カバー部材３５ａは、その内面３５２によって、熱交換器右端部３１３の上端から下端までを覆っており、熱交換器右端部３１３との間において漏洩冷媒誘導流路ＲＰを形成している。また、第２カバー部材３５ｂは、その内面３５２によって、熱交換器左端部３１４の上端から下端までを覆っており、熱交換器左端部３１４との間において漏洩冷媒誘導流路ＲＰを形成している。
【００９２】
（５）室内ユニット３０の機能
（５−１）漏洩冷媒貯留機能
室内ユニット３０では、室内熱交換器端部３１２（特許請求の範囲記載の「熱交換器端部」に相当）の長手方向に沿って延びるカバー部材３５（第１カバー部材３５ａ又は第２カバー部材３５ｂ）の内面３５２が、伝熱管３１ａの折返部Ｒ１を含む室内熱交換器端部３１２（熱交換器右端部３１３又は熱交換器左端部３１４）を覆っており、室内熱交換器端部３１２との間において漏洩冷媒ＲＦをドレンパン３４へと導く漏洩冷媒誘導流路ＲＰが形成されている（図７参照）。
【００９３】
これにより、室内熱交換器端部３１２に配置された折返部Ｒ１が破損して冷媒漏洩が生じた場合、漏洩冷媒ＲＦが、カバー部材３５の内面３５２によって形成された漏洩冷媒誘導流路ＲＰを介して、ドレンパン３４へと誘導されるようになっている。すなわち、室内熱交換器端部３１２において、Ｒ３２のように空気より比重が大きい冷媒が漏洩した際には、漏洩冷媒ＲＦは自重により下方へと落下する。このため、室内熱交換器端部３１２において冷媒漏洩が生じた場合には、漏洩冷媒ＲＦは漏洩冷媒誘導流路ＲＰを流れて室内熱交換器端部３１２の下方へ設置されるドレンパン３４へと自動的に向かうようになっている。
【００９４】
そして、ドレンパン３４に到達した漏洩冷媒ＲＦはドレンパン３４上において一時的に貯留されるようになっている。また、ドレンパン３４から溢れた漏洩冷媒ＲＦは、ドレンパン３４からさらに下方へと落下して、ケーシング４０内において貯留されるようになっている。
【００９５】
（５−２）漏洩冷媒排出機能
また、ドレンパン３４（すなわち室内熱交換器端部３１２の下方）に到達した漏洩冷媒ＲＦは、後から落下する漏洩冷媒ＲＦに押されて、図７に示すように、ドレンパン３４の上面に沿って流れ、排出口３４１方向へ向かう。そして、ドレンパン３４上において貯留される漏洩冷媒ＲＦの一部は、排出口３４１を介して、ドレンホース６０へと流出し、ドレンホース６０を流れて屋外（対象空間ＳＰ外）へと自動的に排出される。すなわち、ドレンパン３４の排出口３４１が漏洩冷媒ＲＦを排出する排気口として機能し、ドレンホース６０が漏洩冷媒ＲＦの排出経路を構成している。このように、室内ユニット３０では、室内熱交換器端部３１２において漏洩した漏洩冷媒ＲＦが、自動的にドレンパン３４へと誘導されて屋外へと排出されるようになっている。
【００９６】
（５−３）漏洩冷媒検出機能
また、ドレンパン３４からさらに下方空間へと落下した漏洩冷媒ＲＦは、ドレンパン３４から溢れ出るとさらに下方へ落下し、その一部はドレンパン３４の下方近傍に設置される冷媒漏洩センサ５５に到達する。このため、室内ユニット３０では、室内熱交換器端部３１２において漏洩した漏洩冷媒ＲＦが、冷媒漏洩センサ５５によって高精度に遅滞なく検出されるようになっている。
【００９７】
特に、冷媒漏洩センサ５５から離れている側の室内熱交換器端部３１２（すなわち、熱交換器右端部３１３）に配置された折返部Ｒ１が破損して冷媒漏洩が生じた場合でも、漏洩冷媒ＲＦは、第１カバー部材３５ａによってドレンパン３４へと誘導され、ドレンパン３４近傍に配置される冷媒漏洩センサ５５によって遅滞なく検出されるようになっている。
【００９８】
（６）室内ユニット３０の特徴
（６−１）
室内ユニット３０においては、伝熱管３１ａの折返部Ｒ１を配置された室内熱交換器端部３１２のいずれかの部分が破損して冷媒漏洩が生じることが可能性として考えられる。この点、従来の空調室内機によると、冷媒漏洩が生じた場合に送風機を駆動させるため、ケーシング４０内の漏洩冷媒ＲＦが漏洩直後に居住空間に吹き出されることとなり、空気流ＡＦの風向及び漏洩冷媒ＲＦの量によっては、居住空間の一部において漏洩冷媒ＲＦの濃度が高まり保安性が十分に確保されないことも想定される。
【００９９】
これに対し、室内ユニット３０では、室内熱交換器端部３１２の長手方向に沿って延びるカバー部材３５（第１カバー部材３５ａ又は第２カバー部材３５ｂ）の内面３５２が、伝熱管３１ａの折返部Ｒ１を含む室内熱交換器端部３１２（熱交換器右端部３１３又は熱交換器左端部３１４）を覆っており、室内熱交換器端部３１２との間において漏洩冷媒ＲＦをドレンパン３４へと導く漏洩冷媒誘導流路ＲＰを形成している（図７参照）。
【０１００】
これにより、室内熱交換器端部３１２において折返部Ｒ１等が破損して冷媒漏洩が生じた場合には、カバー部材３５の内面３５２によって形成された漏洩冷媒誘導流路ＲＰを介して、漏洩冷媒ＲＦがドレンパン３４へと誘導されるようになっている。
【０１０１】
その結果、漏洩冷媒ＲＦは下方に設置されるドレンパン３４へと向かい、ドレンパン３４に到達した漏洩冷媒ＲＦは、ケーシング４０内において、ドレンパン３４の上方空間において貯留されるか、又はドレンパン３４よりもさらに下方空間へと落下して貯留されるようになっている。すなわち、漏洩冷媒ＲＦがケーシング４０内において貯留され、ケーシング４０外に流出することが抑制されるようになっている。つまり、室内熱交換器端部３１２において冷媒漏洩が生じた場合に、漏洩冷媒ＲＦが吹出口４１及び吸込口４２を介してケーシング４０外に流出することが抑制されており、居住空間において漏洩冷媒ＲＦの濃度が大きくなることが抑制されている。よって、保安性に優れている。
【０１０２】
（６−２）
室内ユニット３０は、冷媒漏洩を検出する冷媒漏洩センサ５５が、ドレンパン３４の近傍に配置されている。これにより、保安性が向上するとともにコスト増大が抑制されている。
【０１０３】
すなわち、冷媒漏洩が生じた場合には、可及的速やかに漏洩冷媒ＲＦを検出し、報知等の対処を行うことが望まれる。しかし、冷媒漏洩センサ５５を設置した場合であっても、冷媒漏洩センサ５５から離れた位置において冷媒漏洩が生じると、漏洩冷媒ＲＦを遅滞なく検出することは困難である。この点、本発明によると、冷媒漏洩センサ５５から離れている室内熱交換器端部３１２（特に熱交換器右端部３１３）において冷媒漏洩が生じた場合にも、漏洩冷媒ＲＦは、カバー部材３５によってドレンパン３４へと誘導され、ドレンパン３４近傍に配置される冷媒漏洩センサ５５によって遅滞なく検出される。つまり、冷媒漏洩センサ５５から離れている室内熱交換器端部３１２において冷媒漏洩が生じた場合にも、漏洩冷媒ＲＦを遅滞なく検出して報知等の対処を行うことが可能となっている。よって、保安性に優れている。
【０１０４】
また、冷媒漏洩を遅滞なく検出すべく複数の冷媒漏洩センサ５５を設置するとすればコストが増大する。この点、室内ユニット３０は、複数の冷媒漏洩センサ５５を設置することなく、冷媒漏洩を遅滞なく検出することが可能となっている。よって、コスト増大が抑制されている。
【０１０５】
（６−３）
室内ユニット３０では、第１カバー部材３５ａは、熱交換器右端部３１３の長手方向に沿って延びる内面３５２を有し、内面３５２によって熱交換器右端部３１３を覆って、熱交換器右端部３１３との間において漏洩冷媒誘導流路ＲＰを形成している。また、冷媒漏洩センサ５５は、熱交換器右端部３１３よりも、熱交換器左端部３１４に近い位置に配置されている。これにより、熱交換器右端部３１３と第１カバー部材３５ａとの間に漏洩冷媒誘導流路ＲＰが形成されている。その結果、熱交換器左端部３１４と比較して、冷媒漏洩センサ５５から離れた位置にある熱交換器右端部３１３において、冷媒漏洩が生じた場合であっても、冷媒漏洩センサ５５によって漏洩冷媒ＲＦが遅滞なく検出されるようになっている。
【０１０６】
（６−４）
室内ユニット３０では、第２カバー部材３５ｂは、熱交換器左端部３１４の長手方向に沿って延びる内面３５２を有し、内面３５２によって熱交換器左端部３１４を覆って、熱交換器左端部３１４との間において漏洩冷媒誘導流路ＲＰを形成している。これにより、熱交換器左端部３１４と第２カバー部材３５ｂとの間に漏洩冷媒誘導流路ＲＰが形成されている。その結果、両側の室内熱交換器端部３１２（熱交換器右端部３１３及び熱交換器左端部３１４）のいずれにおいて冷媒漏洩が生じた場合であっても、漏洩冷媒ＲＦは下方に設置されるドレンパン３４へと向かい、ケーシング４０内において貯留されるようになっている。
【０１０７】
すなわち、両側の室内熱交換器端部３１２（熱交換器右端部３１３及び熱交換器左端部３１４）のいずれにおいて冷媒漏洩が生じた場合にも、漏洩冷媒ＲＦが吹出口４１及び吸込口４２を介してケーシング４０外に流出することが抑制され、居住空間において漏洩冷媒ＲＦの濃度が大きくなることが抑制されている。よって、保安性に優れている。また、両側の室内熱交換器端部３１２（熱交換器右端部３１３及び熱交換器左端部３１４）のいずれにおいて冷媒漏洩が生じた場合であっても、冷媒漏洩センサ５５によって漏洩冷媒ＲＦが遅滞なく確実に検出されるようになっている。
【０１０８】
（６−５）
室内ユニット３０では、カバー部材３５の内面３５２は、室内熱交換器端部３１２の長手方向の一端から他端までを覆っている。これにより、室内熱交換器端部３１２の長手方向の寸法に基づいて漏洩冷媒誘導流路ＲＰが形成されるようになっている。その結果、室内熱交換器端部３１２において冷媒漏洩が生じた場合に、漏洩冷媒ＲＦがドレンパン３４へと確実に導かれるようになっている。
【０１０９】
（６−６）
室内ユニット３０では、カバー部材３５の内面３５２は、ドレンパン３４の上面まで延びている。これにより、漏洩冷媒誘導流路ＲＰがドレンパン３４まで途切れることなく形成されるようになっている。その結果、室内熱交換器端部３１２において冷媒漏洩が生じた場合に、漏洩冷媒ＲＦがドレンパン３４へと確実に導かれるようになっている。
【０１１０】
（６−７）
室内ユニット３０では、冷媒漏洩センサ５５は、ドレンパン３４の高さ位置以下に配置されている。これにより、室内熱交換器端部３１２において冷媒漏洩が生じた場合に、漏洩冷媒ＲＦが、冷媒漏洩センサ５５に到達しやすくなっており、冷媒漏洩センサ５５によって高精度に遅滞なく検出されるようになっている。
【０１１１】
（６−８）
室内ユニット３０では、ドレンパン３４は、排水口又は排気口として機能する排出口３４１を形成され、排出口３４１に、屋外（対象空間ＳＰ外）まで延びるドレンホース６０を接続されている。これにより、ケーシング４０内に貯留された漏洩冷媒ＲＦが、ドレンホース６０を介して対象空間ＳＰ外に流出するようになっている。その結果、ケーシング４０内に貯留された漏洩冷媒ＲＦが居住空間に流出してその濃度が高まることが、抑制されている。
【０１１２】
（７）変形例
上記実施形態は、以下の変形例に示すように適宜変形が可能である。なお、各変形例は、矛盾が生じない範囲で他の変形例と組み合わせて適用されてもよい。
【０１１３】
（７−１）変形例１Ａ
上記実施形態では、室内ユニット３０は、対象空間ＳＰの床面Ｆ１に設置される床置き型が採用されていた。しかし、室内ユニット３０は、必ずしも床置き型である必要はない。例えば、室内ユニット３０は、図１０に示す室内ユニット３０´のように、対象空間ＳＰの側壁Ｗ１内に設置される、いわゆる地袋（天袋）設置型又は側壁埋込型であってもよい。また、図示は省略するが、室内ユニット３０は、側壁Ｗ１に固定される壁掛け型であってもよいし、床面Ｆ１の下方に設置される床埋込み型であってもよい。
【０１１４】
（７−２）変形例１Ｂ
上記実施形態では、室内ユニット３０は、空気流ＡＦの吹出口４１及び吸込口４２（正面吸込口４２ａ及び側面吸込口４２ｂ）を、ケーシング４０の正面パネル４０１において形成されていた。しかし、室内ユニット３０は、必ずしも係る態様で吹出口４１及び吸込口４２を形成される必要はない。例えば、室内ユニット３０は、吹出口４１及び／又は吸込口４２を、ケーシング４０の本体部４０２（例えば側面部分、背面部分、又は天面部分）において、形成されてもよい。また、室内ユニット３０は、吹出口４１を、ケーシング４０の中央よりも低い位置に形成されてもよい。また、室内ユニット３０は、正面吸込口４２ａ及び側面吸込口４２ｂの一方については、適宜省略して構成されてもよい。
【０１１５】
（７−３）変形例１Ｃ
上記実施形態では、冷媒漏洩報知部５８は、所定電圧を供給されることで点灯する発光部であり、例えばＬＥＤライト等であった。しかし、冷媒漏洩報知部５８は、冷媒漏洩が生じたことを報知可能な出力部である限り、適宜変更が可能である。例えば、冷媒漏洩報知部５８は、所定電圧を供給されることで音声を出力可能なスピーカであってもよい。
【０１１６】
また、冷媒漏洩報知部５８は、ケーシング４０の正面側の上部に配置されていた。しかし、冷媒漏洩報知部５８は、ユーザや管理者が認識可能である限り、他の位置に設置されてもよい。例えば、冷媒漏洩報知部５８は、リモコン５０や他の機器内に配置されてもよいし、独立して配置されてもよい。
【０１１７】
（７−４）変形例１Ｄ
上記実施形態では、室内ユニット制御部３３は、冷媒漏洩信号を受信すると、室内ファン３２の駆動を停止させるとともに、フラップ４５によって吹出口４１を閉じさせていた。漏洩冷媒ＲＦをケーシング４０内に溜めて居住空間への流出を抑制する、という観点によれば、係る制御が実行されることが好ましい。しかし、係る制御を省略したとしても本発明の目的は実現される。
【０１１８】
すなわち、冷媒漏洩時に室内ファン３２が駆動し、フラップ４５が開いた状態にあったとしても、カバー部材３５の内面３５２が、室内熱交換器端部３１２との間において漏洩冷媒誘導流路ＲＰを形成しているため、漏洩冷媒ＲＦがドレンパン３４へと導かれるようになっており、所定量の漏洩冷媒ＲＦがケーシング４０内において貯留され、ケーシング４０外に流出することが抑制されるようになっている。よって、居住空間において漏洩冷媒ＲＦの濃度が大きくなることが抑制される。
【０１１９】
（７−５）変形例１Ｅ
上記実施形態では、冷媒漏洩センサ５５は、熱交換器右端部３１３よりも熱交換器左端部３１４に近い位置に配置されていた。しかし、これに限定されず、冷媒漏洩センサ５５は、熱交換器左端部３１４よりも熱交換器右端部３１３に近い位置に配置されてもよい。また、冷媒漏洩センサ５５は、熱交換器左端部３１４及び熱交換器右端部３１３の中間の位置（すなわち、熱交換器左端部３１４及び熱交換器右端部３１３からの最短距離が略同一の位置）に配置されてもよい。
【０１２０】
（７−６）変形例１Ｆ
上記実施形態では、冷媒漏洩センサ５５は、室内ユニット３０のケーシング４０内に配置されていた。しかし、冷媒漏洩センサ５５は、必ずしもケーシング４０内に配置される必要はなく、対象空間ＳＰにおける漏洩冷媒ＲＦを検知可能な限り、他の場所に配置されてもよい。例えば、冷媒漏洩センサ５５は、対象空間ＳＰ内に設置されるリモコン５０や他の機器内に配置されてもよい。また、冷媒漏洩センサ５５は、対象空間ＳＰにおいて独立して配置されてもよい。係る場合にも本発明の目的は実現される。
【０１２１】
すなわち、冷媒漏洩センサ５５が室内ユニット３０のケーシング４０内部に配置されるか否かに関わらず、カバー部材３５の内面３５２が、室内熱交換器端部３１２との間において漏洩冷媒ＲＦをドレンパン３４へと導く漏洩冷媒誘導流路ＲＰ、を形成しているため、室内熱交換器端部３１２に配置された折返部Ｒ１が破損して冷媒漏洩が生じた時には、漏洩冷媒ＲＦが漏洩冷媒誘導流路ＲＰを介してドレンパン３４へと誘導される。その結果、漏洩冷媒ＲＦがケーシング４０内において貯留され、居住空間において漏洩冷媒ＲＦの濃度が大きくなることが抑制される。
【０１２２】
（７−７）変形例１Ｇ
上記実施形態では、室内熱交換器３１は、いわゆるクロス・フィン・チューブ熱交換器であった。しかし、室内熱交換器３１は、他の形式の熱交換器であってもよい。例えば、室内熱交換器３１は、室内熱交換器端部３１２にヘッダ集合管を有していてもよい。係る場合にも、カバー部材３５の内面３５２が、ヘッダ集合管及びヘッダ集合管と伝熱管３１ａの接合部を含む室内熱交換器端部３１２´との間において漏洩冷媒誘導流路ＲＰを形成するように、カバー部材３５を配置することで本発明の効果が実現される。
【０１２３】
また、室内熱交換器３１は、側面視あるいは平面視において、Ｕ字状或いはＬ字状等に屈折若しくは湾曲した形状を呈していても良い。係る場合には、カバー部材３５を、室内熱交換器３１（室内熱交換器端部３１２）の形状に応じた形状（例えば屈折又は湾曲した形状）に成形し、内面３５２と室内熱交換器端部３１２との間において漏洩冷媒誘導流路ＲＰが形成されるようにカバー部材３５を適宜配置することで、本発明の効果が実現される。
【０１２４】
（７−８）変形例１Ｈ
上記実施形態では、室内熱交換器３１は、室内熱交換器端部３１２の長手方向（伝熱フィン３１ｂの長手方向）が上下方向（鉛直方向）となるような姿勢で配置されていた。しかし、必ずしもこれに限定されず、室内熱交換器３１は、室内熱交換器端部３１２の長手方向が水平方向となるような姿勢で配置されてもよい。係る場合には、内面３５２が水平方向に沿って延びるような態様でカバー部材３５を配置することで、カバー部材３５と室内熱交換器端部３１２との間において漏洩冷媒誘導流路ＲＰが形成され、本発明の効果が実現される。
【０１２５】
（７−９）変形例１Ｉ
上記実施形態では、カバー部材３５の内面３５２は、室内熱交換器端部３１２の長手方向の一端（上端）から他端（下端）までを覆っていた。室内熱交換器端部３１２において冷媒漏洩が生じた場合に、漏洩冷媒ＲＦをドレンパン３４へと確実に導く、という観点によれば、内面３５２が室内熱交換器端部３１２の長手方向の一端から他端までを覆っていることが好ましい。しかし、本発明の効果を実現するうえで、カバー部材３５の内面３５２は、必ずしも、室内熱交換器端部３１２の長手方向の一端（上端）から他端（下端）までを覆う必要はない。
【０１２６】
すなわち、カバー部材３５の内面３５２が室内熱交換器端部３１２の長手方向の一端（上端）から他端（下端）までの一部を覆っている場合であっても、カバー部材３５の内面３５２によって、室内熱交換器端部３１２との間において漏洩冷媒誘導流路ＲＰが形成されるため、漏洩冷媒ＲＦのドレンパン３４への誘導が促進される。その結果、漏洩冷媒ＲＦがケーシング４０内において貯留され、ケーシング４０外に流出することが抑制されるようになっている。よって、居住空間において漏洩冷媒ＲＦの濃度が大きくなることが抑制される。
【０１２７】
（７−１０）変形例１Ｊ
上記実施形態では、カバー部材３５の内面３５２は、ドレンパン３４の上面まで延びていた。漏洩冷媒誘導流路ＲＰをドレンパン３４まで途切れることなく形成して漏洩冷媒ＲＦをドレンパン３４へと確実に導く、という観点によれば、カバー部材３５の内面３５２は、ドレンパン３４の上面まで延びていることが好ましい。しかし、本発明の効果を実現するうえで、カバー部材３５の内面３５２は、必ずしも、ドレンパン３４の上面まで延びている必要はない。
【０１２８】
すなわち、カバー部材３５の内面３５２がドレンパン３４の上面まで連続して延びていない場合であっても、カバー部材３５の内面３５２によって、室内熱交換器端部３１２との間において漏洩冷媒誘導流路ＲＰが形成されるため、漏洩冷媒ＲＦのドレンパン３４への誘導が促進される。その結果、漏洩冷媒ＲＦがケーシング４０内において貯留され、ケーシング４０外に流出することが抑制されるようになっている。よって、居住空間において漏洩冷媒ＲＦの濃度が大きくなることが抑制される。
【０１２９】
（７−１１）変形例１Ｋ
上記実施形態では、冷媒漏洩センサ５５は、ドレンパン３４の下方近傍（ドレンパン３４の底面から下方１０ｃｍの高さ位置）に配置されていた。しかし、冷媒漏洩センサ５５は、必ずしも係る態様で配置される必要はなく、冷媒漏洩センサ５５の配置位置については、ドレンパン３４の周囲においてドレンパン３４から溢れた（又は落下した）漏洩冷媒ＲＦを検出可能な位置である限り、適宜変更が可能である。例えば、冷媒漏洩センサ５５は、ドレンパン３４の側方空間又は上方空間に配置されてもよい。
【０１３０】
（７−１２）変形例１Ｌ
室内ユニット３０では、カバー部材３５として、第１カバー部材３５ａ及び第２カバー部材３５ｂを有しており、熱交換器右端部３１３と第１カバー部材３５ａの内面３５２との間、及び熱交換器左端部３１４と第２カバー部材３５ｂの内面３５２との間、の双方において、漏洩冷媒誘導流路ＲＰが形成されていた。
【０１３１】
このように、両側の室内熱交換器端部３１２（熱交換器右端部３１３及び熱交換器左端部３１４）と、いずれかのカバー部材３５の内面３５２と、の間において、漏洩冷媒誘導流路ＲＰを形成することで、両側の室内熱交換器端部３１２のいずれにおいて冷媒漏洩が生じた場合であっても、漏洩冷媒ＲＦは下方に設置されるドレンパン３４へと向かい、ケーシング４０内において貯留されるようになっている。
【０１３２】
しかし、室内ユニット３０では、必ずしも、カバー部材３５として、第１カバー部材３５ａ及び第２カバー部材３５ｂの双方を有していなくてもよく、一方については適宜省略してもよい。換言すると、室内ユニット３０では、必ずしも、熱交換器右端部３１３と第１カバー部材３５ａの内面３５２との間、及び熱交換器左端部３１４と第２カバー部材３５ｂの内面３５２との間、の双方において、漏洩冷媒誘導流路ＲＰが形成される必要はない。
【０１３３】
すなわち、室内ユニット３０が、カバー部材３５として、第１カバー部材３５ａ及び第２カバー部材３５ｂの一方のみを有する場合（すなわち、熱交換器右端部３１３と第１カバー部材３５ａの内面３５２との間、及び熱交換器左端部３１４と第２カバー部材３５ｂの内面３５２との間、の一方のみにおいて、漏洩冷媒誘導流路ＲＰが形成される場合）であっても、当該一方のカバー部材３５を配置された室内熱交換器端部３１２において冷媒漏洩が生じた時には、カバー部材３５の内面３５２によって形成された漏洩冷媒誘導流路ＲＰを介して漏洩冷媒ＲＦがドレンパン３４へと誘導される。その結果、漏洩冷媒ＲＦがケーシング４０内において貯留され、ケーシング４０外に流出することが抑制される。
【０１３４】
つまり、カバー部材３５として、第１カバー部材３５ａ及び第２カバー部材３５ｂの一方のみを有する場合であっても、カバー部材３５を配置される側の室内熱交換器端部３１２において冷媒漏洩が生じた場合には、漏洩冷媒ＲＦが吹出口４１及び吸込口４２を介してケーシング４０外に流出することが抑制され、居住空間において漏洩冷媒ＲＦの濃度が大きくなることが抑制される。
【０１３５】
よって、例えば、一方の室内熱交換器端部３１２のみが破損や劣化等による冷媒漏洩の可能性が大きい場合には、当該室内熱交換器端部３１２のみをカバー部材３５で覆って漏洩冷媒誘導流路ＲＰを形成するようにしてもよい。
【０１３６】
また、例えば、図１１に示すように、冷媒漏洩センサ５５から離れている（遠い）側の室内熱交換器端部３１２（ここでは熱交換器右端部３１３）のみをカバー部材３５（ここでは第１カバー部材３５ａ）で覆って漏洩冷媒誘導流路ＲＰを形成するようにしてもよい。係る場合には、冷媒漏洩センサ５５から離れた位置にある室内熱交換器端部３１２において冷媒漏洩が生じたとしても漏洩冷媒ＲＦが冷媒漏洩センサ５５によって遅滞なく検出される、という効果についても実現される。
【０１３７】
（７−１３）変形例１Ｍ
上記実施形態では、カバー部材３５は、断面が略半円状又は略Ｕ字状の板状部材であった。しかし、カバー部材３５は、必ずしも断面が略半円状又は略Ｕ字状である必要はない。すなわち、漏洩冷媒誘導流路ＲＰを構成する内面３５２（ガイド面）を有する限り、カバー部材３５の形状は、特に限定されない。例えば、カバー部材３５は、断面が略三角形状又は略台形状であってもよい。
【０１３８】
〈第２実施形態〉
以下、本発明の第２実施形態に係る室内ユニット３０ａについて説明する。なお、第１実施形態と共通する部分については説明を省略する。また、以下の実施形態においては、矛盾が生じない範囲で第１実施形態において記載した事項及び各変形例を組み合わされて適用されてもよい。
【０１３９】
図１２は、室内ユニット３０ａの外観斜視図である。図１３は、室内ユニット３０ａの内部構成を概略的に示した模式図である。
【０１４０】
室内ユニット３０ａは、略直方体状の外郭を構成するケーシング４０ａを、ケーシング４０に代えて有している。
【０１４１】
ケーシング４０ａには、吹出口４１及び吸込口４２に加えて、空気流ＡＦを吹き出すための吹出口として機能する複数の開口（以下、「下吹出口４３」と称する）が形成されている。具体的に、各下吹出口４３は、ケーシング４０ａの幅方向（左右方向）に長い長方形状を呈している。各下吹出口４３は、ケーシング４０ａの正面パネル４０１において、最下方に位置する側面吸込口４２ｂよりも低い位置において、上下方向及び左右方向に列を成すように形成されている。より詳細には、各下吹出口４３は、ドレンパン３４の底面よりも低い位置に形成されている。
【０１４２】
ケーシング４０ａ内においては、図１３に示すように、空気流路ＦＰ１及びＦＰ２に加えて、空気流路ＦＰ３が形成されている。空気流路ＦＰ３は、室内ファン３２から下吹出口４３まで延びる流路である。
【０１４３】
室内ユニット３０ａは、下吹出口４３の開閉を切り換えるダンパ４６を有している。ダンパ４６は、ダンパモータ（図示省略）の出力軸と機械的に接続され、ダンパモータの回転に伴って回動する。ダンパ４６は、下吹出口４３を閉じる閉状態（図１３の破線で示す状態）と、下吹出口４３を開ける開状態（図１３の実線で示す状態）と、をとりうる。ダンパ４６は、室内ユニット制御部３３によって動作を制御される。
【０１４４】
室内ユニット制御部３３は、運転停止時にはダンパ４６を閉状態に切り換え、運転時にはダンパ４６を開状態に切り換える。また、室内ユニット制御部３３は、冷媒漏洩信号を受信した時（すなわち、冷媒漏洩が生じた時）には、ダンパ４６を閉状態に切り換える。
【０１４５】
室内ユニット３０ａでは、室内ユニット３０と同様、室内熱交換器端部３１２において冷媒漏洩が生じた場合、漏洩冷媒ＲＦが、カバー部材３５の内面３５２によって形成された漏洩冷媒誘導流路ＲＰを介してドレンパン３４へと誘導される。
【０１４６】
その結果、漏洩冷媒ＲＦは下方に設置されるドレンパン３４へと向かい、ドレンパン３４に到達した漏洩冷媒ＲＦは、ドレンパン３４の上方空間において貯留されるか、ケーシング４０ａ内においてさらに下方空間へと落下して貯留される。すなわち、室内熱交換器３１の端部において冷媒漏洩が生じた場合に、漏洩冷媒ＲＦが吹出口４１及び吸込口４２を介してケーシング４０ａ外に流出することが抑制されており、居住空間において漏洩冷媒ＲＦの濃度が大きくなることが抑制されている。
【０１４７】
また、室内ユニット３０ａでは、ドレンパン３４の底面よりも低い位置に複数の下吹出口４３が形成されているが、冷媒漏洩が生じた時にはダンパ４６が閉状態に切り換えられ、各下吹出口４３は閉じられる。これにより、ケーシング４０ａ内に貯留されている漏洩冷媒ＲＦが、下吹出口４３を介してケーシング４０ａ外へ流出することが抑制される。よって、ドレンパン３４の底面よりも低い位置に下吹出口４３を形成される場合にも、漏洩冷媒ＲＦが下吹出口４３を介して居住空間に流出することが抑制されており、居住空間において漏洩冷媒ＲＦの濃度が大きくなることが抑制されている。
【産業上の利用可能性】
【０１４８】
本発明は、空調室内機に適用可能である。
【符号の説明】
【０１４９】
１０      ：室外ユニット
３０、３０´、３０ａ  ：室内ユニット（空調室内機）
３１      ：室内熱交換器（熱交換器）
３１ａ    ：伝熱管
３１ｂ    ：伝熱フィン
３１ｃ    ：管板
３２      ：室内ファン
３３      ：室内ユニット制御部
３４      ：ドレンパン
３５      ：カバー部材（ガイド部材）
３５ａ    ：第１カバー部材（第１ガイド部材／第２ガイド部材）
３５ｂ    ：第２カバー部材（第１ガイド部材／第２ガイド部材）
４０、４０ａ  ：ケーシング
４１      ：吹出口
４２      ：吸込口
４２ａ    ：正面吸込口
４２ｂ    ：側面吸込口
４３      ：下吹出口
４５      ：フラップ
４６      ：ダンパ
５０      ：リモコン
５５      ：冷媒漏洩センサ
５８      ：冷媒漏洩報知部
６０      ：ドレンホース
１００    ：空気調和機
３１１    ：熱交換部
３１２    ：室内熱交換器端部（熱交換器端部）
３１３    ：熱交換器右端部（熱交換器第１端部／熱交換器第２端部）
３１４    ：熱交換器左端部（熱交換器第１端部／熱交換器第２端部）
３４１    ：排出口（開口）
３５１    ：外面
３５２    ：内面（ガイド面）
４０１    ：正面パネル
４０２    ：本体部
４０３    ：底板
ＡＦ      ：空気流
ＦＰ（ＦＰ１〜ＦＰ３）  ：空気流路
Ｒ１      ：折返部
ＲＦ      ：漏洩冷媒
ＲＰ      ：漏洩冷媒誘導流路（誘導流路）
ＳＰ      ：対象空間
【先行技術文献】
【特許文献】
【０１５０】
【特許文献１】特開２０１２−１３３４８号公報
【図１】
0006638266.tif 000002
【図２】
0006638266.tif 000003
【図３】
0006638266.tif 000004
【図４】
0006638266.tif 000005
【図５】
0006638266.tif 000006
【図６】
0006638266.tif 000007
【図７】
0006638266.tif 000008
【図８】
0006638266.tif 000009
【図９】
0006638266.tif 000010
【図１０】
0006638266.tif 000011
【図１１】
0006638266.tif 000012
【図１２】
0006638266.tif 000013
【図１３】
0006638266.tif 000014